(57)【要約】【課題】回転清掃体の清掃部材に絡まった糸屑等を容易に外すことができる吸込み口体を提供する。【解決手段】吸込み口本体31にこの本体の吸込み口32に臨んで着脱可能に取付けられた回転清掃体41が、心棒42、スリット52を有したカバー筒51、及び清掃部材55を具備する。心棒42はその軸方向両端に筒支え部46を有した端部材44を夫々備える。カバー筒51の軸方向両端部を筒支え部51の外周に回転可能に嵌合させて心棒42を覆ってカバー筒51を設ける。心棒42に清掃部材55を取付け、この清掃部材55をスリット52に挿通させる。心棒42の少なくとも一端部の最大径をカバー筒51の外径以下として、カバー筒51の回転により清掃部材55から外された糸屑等をカバー筒51の外周から抜き外せるようにしている。【選択図】      図２
2006136647.tif 000002
【特許請求の範囲】
【請求項１】
吸込み口本体にこの本体の吸込み口に臨んで回転清掃体を着脱可能に取付けた吸込み口体において；
前記回転清掃体が、
筒支え部を有して前記吸込み口体に支持される端部材を軸方向両端に夫々備えた心棒と；
軸方向両端部を前記筒支え部の外周に回転可能に嵌合して前記心棒を覆って設けられ、かつ、スリットを有したカバー筒と；
前記心棒に取付けられて前記スリットに通された清掃部材と；
を具備し、
前記カバー筒の端から突出された前記心棒の両端部の内の少なくとも一方の端部の最大径を前記カバー筒の外径以下にした吸込み口体。
【請求項２】
吸込み口本体にこの本体の吸込み口に臨んで回転清掃体を着脱可能に取付けた吸込み口体において；
前記回転清掃体が、
筒支え部を有して前記吸込み口体に支持支される端部材を軸方向両端に夫々備えた心棒と；
軸方向両端部を前記筒支え部の外周に回転可能に嵌合して前記心棒を覆って設けられ、かつ、スリットを有したカバー筒と；
前記心棒に取付けられて前記スリットに通された清掃部材と、
前記カバー筒が最大に回転された場合でも前記清掃部材が前記スリットに掛かった状態を維持するように前記カバー筒の回転角度を規制する回転角制限手段と；
を具備し、
前記カバー筒の端から突出された前記心棒の両端部の内の少なくとも一方の端部の最大径を前記カバー筒の外径以下にした吸込み口体。
【請求項３】
電動送風機が内蔵された掃除機本体と；
この掃除機本体に接続された吸込み風路体と；
この吸込み風路体に着脱される接続部を有した請求項１又は２に記載の吸込み口体と；
を具備した電気掃除機。
【発明の詳細な説明】
【技術分野】
【０００１】
本発明は、回転清掃体を備えた吸込み口体、及びこの吸込み口体を備えた電気掃除機に関する。
【背景技術】
【０００２】
回転清掃体は、畳面、絨毯面、フローリング面などの被掃除面に接触するブラシ毛やブレード等からなる清掃部材を有している。この回転清掃体には被掃除面上の髪の毛や糸屑等が絡み付くことがある。そこで、絡み付いた糸屑等を除去できるように、刷毛状ブレードが外周に配設された芯体に対して回転自在な筒状のカバーを設け、このカバーに刷毛状ブレードが出没可能なスリットを設けた吸込み口体が知られている（例えば、特許文献１参照。）。
【０００３】
前記筒状のカバーは、芯体の軸方向両端部に夫々設けた支持部材の外周に摺動自在に嵌合されており、又、夫々の支持部材の外周部にはホルダーが取付けられている。そして、これらホルダーの外径は筒状のカバーの外径より大きく形成されている。
【０００４】
このため、特許文献１の技術では、芯体に対しカバーを回転させて刷毛状ブレード全体をカバーの内部に没入させることにより、カバーの外周面に糸屑等を残し、この糸屑等をカバーの軸線方向にスライドさせてカバーの一端側に集め、この集められた糸屑等を切るなどして、カバーから取り除くようにしている。
【特許文献１】特開2001−204656号公報（段落0017−0031、図１−図１０）
【発明の開示】
【発明が解決しようとする課題】
【０００５】
特許文献１の技術では、筒状のカバーより大径のホルダーが邪魔になって、刷毛状ブレードから外された糸屑等をカバーから軸方向に抜き外すことができず、既述のように刷毛状ブレードから外された糸屑等をカバーの一端側に集めて切るという手間を要している。更に、特許文献１の技術では、刷毛状ブレードに絡まった糸屑等が、筒状のカバーの内部に完全に没入する刷毛状ブレードとともにカバー内に引き込まれてしまうことがあり、このような状態では、絡まった糸屑等をカバーの軸線方向にスライドさせてカバーの一端側に集めることも困難となる蓋然性が高い。
【０００６】
本発明の目的は、回転清掃体の清掃部材に絡まった糸屑等を容易に外すことができる吸込み口体、及びこの吸込み口体を備えた電気掃除機を提供することにある。
【課題を解決するための手段】
【０００７】
本発明は、吸込み口本体にこの本体の吸込み口に臨んで着脱可能に取付けた回転清掃体が、筒支え部を有した端部材を軸方向両端に夫々備えた心棒と、軸方向両端部を筒支え部の外周に回転可能に嵌合させて心棒を覆ったカバー筒と、心棒に取付けられてカバー筒のスリットに通された清掃部材とを具備し、カバー筒の端から突出された心棒の両端部の内の少なくとも一方の端部の最大径をカバー筒の外径以下としている。
【発明の効果】
【０００８】
本発明によれば、回転清掃体の清掃部材に絡まった糸屑等を容易に外すことができる吸込み口体、及びこの吸込み口体を備えた電気掃除機を提供できる。
【発明を実施するための最良の形態】
【０００９】
図１〜図７を参照して本発明の第１実施形態を説明する。
【００１０】
図１中符号１１で示す電気掃除機は、掃除機本体１２．吸込み風路体１３、及び吸込み口体１４を備えている。掃除機本体１２にはその内部の集塵室１２ａに吸込み負圧を作用させる電動送風機１５が内蔵されている。
【００１１】
吸込み風路体１３は、一端部を集塵室１２ａに連通させて掃除機本体１２に着脱可能に接続され、他端部に手元操作パイプ２１を有した可撓性の吸塵ホース２２と、手元操作パイプ２１に着脱自在に接続された延長管２３とを備えている。手元操作パイプ２１にはハンドル部２１ａが突設され、このハンドル部２１ａには電動送風機１５の運転等を制御する各種のスイッチを設けた操作パネル２１ｂが取付けられている。延長管２３には例えば２段伸縮式のものが使用されている。
【００１２】
図２に示すように吸込み口体１４は、吸込み口本体３１と、これに着脱可能な回転清掃体４１とを備えている。
【００１３】
吸込み口本体３１は、床面などの掃除に適するように幅方向に延びる横長の吸込み口３２を有している。更に、吸込み口本体３１はその幅方向中央後部に、上下方向に回転自在な継手管３３を設けているとともに、この継手管３３の周方向に回転自在に連結された接続管３４を有している。吸込み口体１４は、その接続管３４を延長管２３の先端部に着脱可能に接続して使用される。
【００１４】
吸込み口本体３１は、吸込み口３２の長手方向両端を仕切る壁によって形成された支持部３５を有している。後述の構成の回転清掃体４１は、その両端部を支持部３５に着脱可能に支持されることによって、吸込み口３２に臨んで吸込み口本体３１に取付けられている。吸込み口本体３１はその底壁に支持部３５と対向する着脱自在な支持部材（図示しない）を有しており、この支持部材を外した状態で回転清掃体４１を吸込み口本体３１に着脱することができる。
【００１５】
図２に示すように吸込み口本体３１には電動モータ３６が内蔵されている。この電動モータ３６と回転清掃体４１の一端部とにわたってタイミングベルト３７が巻き掛けられており、このタイミングベルト３７を介して電動モータ３６の回転力が回転清掃体４１に伝達されるようになっている。なお、回転清掃体４１は、電動モータ３６の動力で回転されることに限らず、吸込み口本体３１に吸込まれる風力で回転させるようにしてもよい。
【００１６】
図３〜図７に示すように回転清掃体４１は、心棒４２と、カバー筒５１と、複数の清掃部材５５と、回転角制限手段とを備えている。
【００１７】
心棒４２は、アルミニューム合金の押出し型材や合成樹脂成形品等からなる棒本体４３の軸方向両端に夫々端部材４４を連結して形成されている。棒本体４３は、周方向に所定間隔を置いて設けられ、かつ、軸方向に延びる複数の溝条４５（図５、図６参照）を有している。本実施形態では各溝条４５はねじられるように設けられているが、軸方向と平行に設けてもよい。
【００１８】
端部材４４は、円板形の筒支え部４６を有しているとともに、この筒支え部４６の中心軸４７に短い円筒状のホルダー４８を、このホルダー４８に内蔵された図示しない軸受を介して回転自在に取付け、更に、ホルダー４８を貫通した中心軸４７に歯車部４９を連結して形成されている。筒支え部４６は棒本体４３の端に連結されている。この端部材４４の筒支え部４６、中心軸４７、及び歯車部４９は一体に回転される回転部をなしている。端部材４４のホルダー４８は固定部として用いられるようになっている。
【００１９】
筒支え部４６の直径は心棒４２の中で最大であり、この筒支え部４６の周面には前記回転角制限手段の一部をなす係合突起６１が複数（図４及び図７に一つのみ図示）突設されている。ホルダー４８は吸込み口本体３１の支持部３５に着脱自在に嵌合される部分である。このホルダー４８を支持部３５に嵌合させてから図示しない前記支持部材を吸込み口本体３１の底壁に固定して、この支持部材と支持部３５とでホルダー４８を挟持することにより、回転清掃体４１を吸込み口３２に臨ませて吸込み口本体３１に回転自在に取付けることができる。歯車部４９は前記タイミングベルト３７が巻き掛けられる部分である。本実施形態では、左右の端部材４４を同一部品として部品の共通化を図っているので、一方の端部材４４の歯車部４９にはタイミングベルト３７が巻き掛けられることはない。
【００２０】
カバー筒５１は、軸方向両端が夫々開放された合成樹脂や金属の円筒からなり、その周方向に所定間隔を置いて設けられた複数のスリット５２を有している。各スリット５２は前記溝条４５に対応して設けられており、本実施形態ではねじられるように設けられているが、軸方向と平行に設けてもよい。カバー筒５１は、その両端部を一対の前記筒支え部４６の外周にこれら筒支え部４６の周方向に回転可能に嵌合して、心棒４２の筒支え部４６，４６にわたる部分を覆っている。必要によりカバー筒５１に強い外力を軸方向に与えて移動させる場合には、カバー筒５１を心棒４２から外すことが可能である。
【００２１】
カバー筒５１の両端から端部材４４のホルダー４８及び歯車部４９が夫々突出されている。心棒４２の両端部に位置してカバー筒５１の端から軸方向に突出されたホルダー４８及び歯車部４９の径は、いずれもカバー筒５１の外径Ｄ１（図３参照）より小さい。又、心棒４２の端部に位置された筒支え部４６には既述のようにカバー筒５１に被嵌されているので、図３に示した筒支え部４６の直径Ｄ２（心棒４２の最大径)もカバー筒５１の外径Ｄ１より小さい。
【００２２】
図５及び図６に示すように清掃部材５５は、細長い基部５５ａに、この基部５５ａに沿ってブレード状に延びる清掃部材要素５５ｂを取付けて形成されている。清掃部材要素５５ｂには、基部５５ａに列状に植毛されたブラシ毛、又はエラストマや軟質塩化ビニルなどのブレード要素を用いることができ、この清掃部材要素５５ｂは弾性変形ができる。清掃部材５５は心棒４２に取付けられている。詳しくは、基部５５ａを前記溝条４５に嵌め付けることによって棒本体４３に取付けられている。そして、各清掃部材５５はカバー筒５１のスリット５２に通されている。
【００２３】
図４に示すようにカバー筒５１の一端部には、周方向に所定間隔を置いて第１の係合孔（係合部）６２と第２の係合孔（係合部）６３とが二組設けられている。これらの係合孔６２，６３は前記係合突起６１とともに回転角制限手段をなすものである。筒支え部４６の外周に対するカバー筒５１の摩擦力に抗してカバー筒５１を手で回転させることにより、係合突起６１を第１の係合孔６２又は第２の係合孔６３に選択的に係合させて、心棒４２に対してカバー筒５１を所定角度回転させて位置決めすることができる。
【００２４】
係合突起６１が第１の係合孔６２に係合して、心棒４２とカバー筒５１とが相対的に位置決めされた状態でのカバー筒５１と清掃部材５５との関係は図５に示されている。この状態では、清掃部材５５が真っ直ぐに延びてスリット５２を挿通している。回転清掃体４１が図５に示す状態で電気掃除機１１は使用される。この掃除状態では、回転清掃体４１が回転駆動されるので、カバー筒５１より突出している清掃部材５５が床面等の被掃除面との接触により弾性変形して、この変形が戻るときに被掃除面のごみを掻き出すことができる。
【００２５】
掃除に伴い回転清掃体４１の清掃部材５５に絡み付いた糸屑などを除去するには、まず、回転清掃体４１を吸込み口本体３１から取外して、カバー筒５１を心棒４２に対して手で回転（図５中矢印で回転方向を示す。）させた後に、カバー筒５１の外周面上に位置する糸屑等を、カバー筒５１の軸方向に沿って動かして、このカバー筒５１の軸方向一端から引き外せばよい。
【００２６】
そして、カバー筒５１を回転させる場合には、係合突起６１が第１の係合孔６２から外れて第２の係合孔６３に係合することで節度が与えられるので、この節度でカバー筒５１の回転が妨げられた時点でカバー筒５１の回転操作を停止することにより、カバー筒５１を所定角度回転させることができる。
【００２７】
係合突起６１が第２の係合孔６３に係合して、心棒４２とカバー筒５１とが相対的に位置決めされた状態でのカバー筒５１と清掃部材５５との関係は図６に示されている。この場合、清掃部材５５が弾性変形しながらその大部分がカバー筒５１内に引き込まれるも、清掃部材５５の先端縁はスリット５２に引っ掛かった状態に保持される。つまり、回転角制限手段によりカバー筒５１の回転が既述のように所定角度に制限されることによって、清掃部材５５全体がスリット５２を通り抜けてカバー筒５１の内部に没入することが防止されて、清掃部材５５がスリット５２に引っ掛かった状態に保持される。
【００２８】
これにより、清掃部材５５の根元側（基部５５ａ側）に引っ掛かっていた糸屑などが、清掃部材５５の先端に向けて寄せ集められるとともに、カバー筒５１内に深く引き込まれることが防止される。次に、この状態のままで、カバー筒５１とその外周上に位置している糸屑等を相対的にカバー筒５１の軸方向に移動させることにより、カバー筒５１の軸方向一端から糸屑等を抜き外すことができる。
【００２９】
この場合、既述のように糸屑等はカバー筒５１内に深く引き込まれていないとともに、清掃部材５５の先端側での引っ掛かりは外し易いので、カバー筒５１の軸方向に沿って糸屑等を移動させることができる。そして、既述のように回転清掃体４１の端部材４４はカバー筒５１よりも小径であるので、カバー筒５１の軸方向に沿う糸屑等の人為的な移動が端部材４４によって妨げられることがなく、カバー筒５１の軸方向一端から糸屑等を抜き外すことができる。
【００３０】
したがって、カバー筒５１の外周上から糸屑等を外すのに、この糸屑等を切断する手間を要することがなく、既述のようにカバー筒５１の所定角度の回転操作と、それに引き続くカバー筒５１からの糸屑等の抜き外し操作とによって、回転清掃体４１に引っ掛かっていた糸屑等を容易に外すことができる。
【００３１】
なお、こうして糸屑等が外された回転清掃体４１は、その後に、係合突起６１が第１の係合孔６２に係合されるようにカバー筒５１を心棒４２に対して所定角度回転することにより、図５の状態に戻すことができる。この場合、前段階の図６の状態では清掃部材５５がカバー筒５１内に完全没入されておらずスリット５２に引っ掛かっているので、長期にわたる使用で清掃部材５５の弾性が低下した場合であっても、この清掃部材５５をきわめて円滑にカバー筒５１外に突出させて、図５の状態とすることができる。
【００３２】
図８及び図９は本発明の第２実施形態を示している。この実施形態は、以下説明する事項を除いて第１実施形態と同じであるので、第１実施形態と同じ構成については同一符号を付して説明を省略する。
【００３３】
第２実施形態では、回転角制限手段を、カバー筒５１の端部内周面に設けられた溝６５と、筒支え部４６の側面に一体に設けられた係合突起６６とで形成している。溝６５は、カバー筒５１の周方向に延びて形成されているとともに、好ましい例としてカバー筒５１の径方向に対向するように１８０度離れて一対設けられている。溝６５に挿入される係合突起６６は、筒支え部４６の径方向に延びて設けられていて、その幅は溝６５の長さより小さい。
【００３４】
この回転角制限手段では、心棒４２に対してカバー筒５１を相対的に回転させて、溝６５の一端６５ａに係合突起６６を係合させることによって、回転清掃体４１を使用状態に位置決めできる（図５参照）とともに、溝６５の他端６５ｂに係合突起６６を係合させることによって、回転清掃体４１から糸屑等を取り除くのに適した状態に位置決めできる。なお、以上の点以外の事項は、図８及び図９に示されない事項を含めて第１実施形態と同じである。したがって、この第２実施形態においても、本発明の課題を解決できる。
【００３５】
図１０（Ａ）（Ｂ）及び図１１（Ａ）（Ｂ）は本発明の第３実施形態を示している。この実施形態は、以下説明する事項を除いて第１実施形態と同じであるので、第１実施形態と同じ構成については同一符号を付して説明を省略する。
【００３６】
第３実施形態では第１実施形態で採用した回転角制限手段が省略されている。これにより、回転清掃体４１から糸屑等を取除くのに心棒４２に対してカバー筒５１を相対的に回転させた場合に、図１１（Ａ）（Ｂ）に示すように、清掃部材５５全体をカバー筒５１の内部に完全に没入させることができる。
【００３７】
これにより、清掃部材５５の根元側（基部５５ａ側）に引っ掛かっていた糸屑などを、清掃部材５５の先端に向けて寄せるだけではなく、この清掃部材５５から分離させてカバー筒５１の外周に残すことができる。したがって、次に、カバー筒５１とその外周上に位置している糸屑等を相対的にカバー筒５１の軸方向に移動させる場合に、清掃部材５５が抵抗となることがないので、カバー筒５１の軸方向一端から糸屑等をきわめて容易に抜き外すことができる。
【００３８】
なお、図１１（Ａ）（Ｂ）の状態からカバー筒５１を回転させて図１０（Ａ）（Ｂ）の状態に戻す場合には、カバー筒５１のスリット５２と清掃部材５５との相対位置の変化に伴い、清掃部材５５の曲がりが、この清掃部材５５の弾性によって復元されるので、清掃部材５５をスリット５２から自然に突出させることができる。
【００３９】
本発明は前記各実施形態には制約されない。例えば、カバー筒５１の端から軸方向に突出された心棒４２の端部は、カバー筒５１の外径と同一直径であってもよい。この場合、糸屑等をカバー筒５１から軸方向に抜き外す上で、突出された心棒４２の端部をカバー筒５１の端に連続させることが、好ましい。又、カバー筒５１の外径以下とする心棒４２の端部は、両端部に限らず、一端部だけであってもよい。
【図面の簡単な説明】
【００４０】
【図１】本発明の第１実施形態に係る吸込み口体を備えた電気掃除機を示す斜視図。
【図２】図１の吸込み口体を一部切り欠いて示す下面図。
【図３】図１の吸込み口体が備える回転清掃体を示す斜視図。
【図４】図３の回転清掃体を分解して示す斜視図。
【図５】図３の回転清掃体の清掃部材がカバー筒から突出された状態で示す回転清掃体の断面図。
【図６】図３の回転清掃体の清掃部材がカバー筒内に引き寄せられ状態で示す回転清掃体の断面図。
【図７】図３の回転清掃体の一端部を示す斜視図。
【図８】本発明の第２の実施形態に係る吸込み口体が備える回転清掃体の一端部を示す斜視図。
【図９】図８の回転清掃体が備えた回転角規制手段の構成を示す正面図。
【図１０】（Ａ）は本発明の第３の実施形態に係る吸込み口体が備える回転清掃体を、その清掃部材がカバー筒から突出された状態で示す斜視図。（Ｂ）は同状態での回転清掃体の断面図。
【図１１】（Ａ）は第３の実施形態に係る吸込み口体が備える回転清掃体を、その清掃部材がカバー筒に没入された状態で示す斜視図。（Ｂ）は同状態での回転清掃体の断面図。
【符号の説明】
【００４１】
１１…電気掃除機、１２…掃除機本体、１３…吸込み風路体、１４…吸込み口体、１５…伝動送風機、３１…吸込み口本体、３２…吸込み口、３４…接続管、４１…回転清掃体、４２…心棒、４３…心棒の棒本体、４４…心棒の端部材、４６…筒支え部、５１…カバー筒、５２…スリット、Ｄ１…カバー筒の外径、Ｄ２…筒支え部の直径、５５…清掃部材、６１…係合突起（回転角制限手段）、６２…第１の係合孔（回転角制限手段）、６３…第２の係合孔（回転角制限手段）、６５…溝（回転角制限手段）、６５ａ…溝の一端、６５ｂ…溝の他端、６６…係合突起（回転角制限手段）
【図１】
2006136647.tif 000003
【図２】
2006136647.tif 000004
【図３】
2006136647.tif 000005
【図４】
2006136647.tif 000006
【図５】
2006136647.tif 000007
【図６】
2006136647.tif 000008
【図７】
2006136647.tif 000009
【図８】
2006136647.tif 000010
【図９】
2006136647.tif 000011
【図１０】
2006136647.tif 000012
【図１１】
2006136647.tif 000013